(57)【要約】【課題】液晶表示パネルの焼付き防止処理を適切に行う。【解決手段】異常検出部（４２）が液晶表示パネルの駆動を非常停止させるべき条件の発生を検出した場合に、電源切替部（５６）が主電源部（１０）から表示駆動部（３１）への電力供給経路を遮断状態に切り替え、表示駆動部（３１）が予備電源部（１１）から供給される電力を用いて液晶表示パネル（６１）の電荷放出処理を実行する。【選択図】図１
2014056095.tif 000002
【特許請求の範囲】
【請求項１】
複数の画素を備えた液晶表示パネルと、画像データに応じて上記各画素に印加する電圧を制御することで上記液晶表示パネルを駆動する表示駆動部と、上記液晶表示パネルを駆動するための電力を上記表示駆動部に供給する主電源部とを備え、上記液晶表示パネルの駆動を停止させる際に上記表示駆動部が上記各画素に蓄積された電荷を放出させる電荷放出処理を行う液晶表示装置であって、
上記表示駆動部に上記電荷放出処理を実行させるための電力を充電する予備電源部と、
上記液晶表示パネルの駆動を非常停止させるべき条件として予め定められた条件である非常停止条件の発生を検出する異常検出部と、
上記主電源部から上記表示駆動部への電力供給経路を導通状態と遮断状態とに切り替える電源切替部とを備え、
上記異常検出部が上記非常停止条件の発生を検出した場合に、上記電源切替部が上記電力供給経路を遮断状態に切り替え、上記表示駆動部が上記予備電源部から供給される電力を用いて上記電荷放出処理を実行することを特徴とする液晶表示装置。
【請求項２】
上記異常検出部は、上記主電源部の出力電圧、または上記主電源部に備えられるバッテリの出力電圧の所定値以下への低下を上記非常停止条件として検出することを特徴とする請求項１に記載の液晶表示装置。
【請求項３】
上記異常検出部は、当該液晶表示装置および当該液晶表示装置を備えた電子機器の少なくとも一方における動作制御不良の発生を上記非常停止条件として検出することを特徴とする請求項１または２に記載の液晶表示装置。
【請求項４】
上記異常検出部は、上記主電源部に備えられるバッテリを取り外すための動作を上記非常停止条件として検出することを特徴とする請求項１から３のいずれか１項に記載の液晶表示装置。
【請求項５】
上記予備電源部は、上記主電源部から供給される電力を用いて充電されるようになっており、
上記主電源部から上記予備電源部への電力供給経路に、上記主電源部から上記予備電源部への電力供給を許容する一方、上記予備電源部から上記主電源部への電力供給を遮断するダイオードが設けられていることを特徴とする請求項１から４のいずれか１項に記載の液晶表示装置。
【請求項６】
上記予備電源部から上記表示駆動部への供給電圧は、上記主電源部から上記表示駆動部への供給電圧よりも低く、かつ、
上記予備電源部における上記表示駆動部に電力を供給するための出力端子は、上記電源切替部と上記表示駆動部との間に接続されていることを特徴とする請求項１から５のいずれか１項に記載の液晶表示装置。
【請求項７】
上記予備電源部から上記表示駆動部への電力供給経路を導通状態と遮断状態とに切り替える接続切替部を備え、
上記接続切替部は、上記主電源部から上記表示駆動部に電力を供給する場合には遮断状態に切り替えられ、上記予備電源部から上記表示駆動部に電力を供給する場合には導通状態に切り替えられることを特徴とする請求項１から５のいずれか１項に記載の液晶表示装置。
【請求項８】
上記予備電源部は、コンデンサまたは二次電池に上記電力を充電することを特徴とする請求項１から７のいずれか１項に記載の液晶表示装置。
【請求項９】
上記液晶表示パネルは、画像データに応じた電圧を各画素に供給するためのデータ信号線と、データ信号線と画素との間を導通状態と遮断状態とに切り替えるための、１または複数の画素毎に設けられたスイッチング素子とを備え、
上記スイッチング素子は、酸化物半導体からなるチャネル層を備えた薄膜トランジスタ素子であることを特徴とする請求項１から８のいずれか１項に記載の液晶表示装置。
【請求項１０】
上記酸化物半導体は、インジウム、ガリウム、亜鉛、および酸素を含んでいることを特徴とする請求項９に記載の液晶表示装置。
【発明の詳細な説明】
【技術分野】
【０００１】
本発明は、電源ＯＦＦ時に液晶表示パネルの焼付き現象を防止するための所定のＯＦＦシーケンス（電荷放出処理）を行う液晶表示装置に関するものである。
【背景技術】
【０００２】
従来、液晶表示パネルに同じ画像を長時間表示させ続けると、その画像が残像のように液晶表示パネルに固定されてしまう、いわゆる焼付き現象が生じることが知られている。
【０００３】
また、画像を表示させたまま液晶表示装置の電源をＯＦＦにした場合、各画素には電源がＯＦＦされる直前の印加電圧が印加されたままになり、同じ画像を描画させ続けることになるので、この場合にも焼付き現象が生じることが知られている。
【０００４】
このため、従来の液晶表示装置では、電源をＯＦＦにする際、液晶表示パネルの各画素に印加された電荷を放出させるための所定のＯＦＦシーケンスを実行するようになっている。
【０００５】
例えば、特許文献１には、遊技機に備えられる液晶表示装置において、遊技機の電源電圧が所定電圧値以下に低下したときに、液晶表示装置における全画素の液晶分子を一方向に配向させて液晶表示を消去する処理（ＯＦＦシーケンス）を行うことにより、焼付き現象を防止することが記載されている。
【０００６】
また、特許文献２には、電源回路に電解コンデンサを備えておき、液晶表示装置の電源がＯＦＦされたときに、この電解コンデンサに蓄えられた電荷を用いて液晶表示パネルの全画面に黒を描画するか、あるいは１または数画素おきに白黒が反転する市松模様を描画する処理（ＯＦＦシーケンス）を行うことにより焼付き現象を防止することが記載されている。
【先行技術文献】
【特許文献】
【０００７】
【特許文献１】特開平７−３１７２８号公報（１９９５年２月３日公開）
【特許文献２】特開２０００−１３１６７１号公報（２０００年５月１２日公開）
【発明の概要】
【発明が解決しようとする課題】
【０００８】
ところで、従来の液晶表示装置では、一般に、液晶表示パネルの駆動電源と当該液晶表示装置の各部の動作を制御するホストシステムの電源とが共有されている。
【０００９】
このため、従来の液晶表示装置では、電源を正常にＯＦＦする際、液晶表示パネルの各画素に印加された電荷を放出させるための処理（液晶表示パネルのＯＦＦシーケンス）に加えて、ホストシステムに備えられる各部材、あるいはホストシステムによって電力供給が制御される液晶表示パネル以外の各部材に不具合を生じさせないための当該各部材に応じた処理（液晶表示パネル以外の部材のＯＦＦシーケンス）を実行してから電源をＯＦＦするようになっている。
【００１０】
しかしながら、電源消失等に起因してＯＦＦシーケンスを正常に実行できない時には、ホストシステム側の状態は様々であり、液晶表示パネル以外の各部材が正常なＯＦＦシーケンスを実行できないことにより消費される電力はホストシステムの状態等によって大きく変動する。このため、ホストシステム側の状態等によっては、液晶表示パネルのＯＦＦシーケンスに要する電力を十分に確保できない場合がある。あるいは、液晶表示パネルのＯＦＦシーケンスに要する電力を確保しようとすると、液晶表示パネル以外の部材のＯＦＦシーケンス（あるいはＯＮシーケンス）に影響を及ぼし、当該部材に不具合が生じてしまう場合がある。
【００１１】
また、上記特許文献２のように電解コンデンサに蓄えた電力を用いてＯＦＦシーケンスを実行する構成では、ホストシステム側の状態によってＯＦＦシーケンスの実行に要する電力が変動するので、電解コンデンサの容量を最適化することができないという問題もある。
【００１２】
本発明は、上記の問題点に鑑みてなされたものであり、その目的は、液晶表示パネルの駆動を非常停止させる場合に、焼付き現象が生じることを防止するための処理を行うとともに、当該処理の影響が他の部材に及ぶことを防止することにある。
【課題を解決するための手段】
【００１３】
本発明の一態様にかかる液晶表示装置は、複数の画素を備えた液晶表示パネルと、画像データに応じて上記各画素に印加する電圧を制御することで上記液晶表示パネルを駆動する表示駆動部表示駆動部と、上記液晶表示パネルを駆動するための電力を上記表示駆動部に供給する主電源部とを備え、上記液晶表示パネルの駆動を停止させる際に上記表示駆動部が上記各画素に蓄積された電荷を放出させる電荷放出処理を行う液晶表示装置であって、上記表示駆動部に上記電荷放出処理を実行させるための電力を充電する予備電源部と、上記液晶表示パネルの駆動を非常停止させるべき条件として予め定められた条件である非常停止条件の発生を検出する異常検出部と、上記主電源部から上記表示駆動部への電力供給経路を導通状態と遮断状態とに切り替える電源切替部とを備え、上記異常検出部が上記非常停止条件の発生を検出した場合に、上記電源切替部が上記電力供給経路を遮断状態に切り替え、上記表示駆動部が上記予備電源部から供給される電力を用いて上記電荷放出処理を実行することを特徴としている。
【発明の効果】
【００１４】
本発明の一態様にかかる液晶表示装置によれば、液晶表示パネルの駆動を非常停止させる場合に、液晶表示パネルに焼付き現象が生じることを防止するとともに、表示駆動部における電荷放出処理の影響が主電源部から供給される電力を用いて動作する他の部材に及ぶことを防止できる。
【図面の簡単な説明】
【００１５】
【図１】本発明の一実施形態にかかる液晶表示装置における電力供給系統の構成を示す説明図である。
【図２】本発明の一実施形態にかかる液晶表示装置を備えた携帯機器の全体構成を示す説明図である。
【図３】本発明の一実施形態にかかる液晶表示装置に備えられる主電源部、予備電源部、および電源切替部の構成を示す説明図である。
【図４】本発明の一実施形態にかかる液晶表示装置における電力供給の制御処理の流れを示すフローチャートである。
【図５】本発明の一実施形態にかかる液晶表示装置に備えられる主電源部、予備電源部、および電源切替部の構成の変形例を示す説明図である。
【図６】本発明の一実施形態にかかる液晶表示装置に備えられる主電源部、予備電源部、および電源切替部の構成の変形例を示す説明図である。
【図７】本発明の一実施形態にかかる液晶表示装置に備えられる主電源部、予備電源部、および電源切替部の構成の変形例を示す説明図である。
【図８】本発明の一実施形態にかかる液晶表示装置に備えられる主電源部、予備電源部、および電源切替部の構成の変形例を示す説明図である。
【図９】本発明の一実施形態にかかる液晶表示装置に備えられる主電源部、予備電源部、および電源切替部の構成の変形例を示す説明図である。
【発明を実施するための形態】
【００１６】
本発明の一実施形態について説明する。なお、本実施形態では、本発明を携帯機器に備えられる液晶表示装置に適用する場合について説明するが、本発明の適用対象はこれに限るものではなく、液晶表示装置単体、あるいは液晶表示装置を備えた他の装置に適用することもできる。
【００１７】
（１−１．携帯機器１の全体構成）
図２は、本実施形態にかかる携帯機器（電子機器）１の構成を示す説明図である。なお、携帯機器１としては、例えば、スマートフォン、タブレット端末、携帯電話機、ＰＤＡ（Personal Digital Assistance）、ノート型パソコン、携帯型ゲーム機などを用いることができる。
【００１８】
図２に示したように、携帯機器１は、制御部（ホストシステム）２、操作部３、通信部４、撮像部５、音声入力部６、音声出力部７、記憶部８、表示装置９、主電源部１０、および予備電源部１１を備えている。また、制御部２は、操作制御部２１、通信制御部２２、撮像制御部２３、音声入力制御部２４、音声出力制御部２５、記憶制御部２６、表示制御部２７、および電力供給制御部２８を備えている。また、表示装置９は、表示駆動部３１および表示部３２を備えている。
【００１９】
操作部３は、ユーザからの操作入力を受け付けて制御部２に伝達するためのものである。操作部３の構成は特に限定されるものではなく、例えば、各種操作キーなどを用いることができる。なお、操作部３は表示部３２の表示画面に触れることによって操作入力を行うタッチパネルであってもよい。
【００２０】
通信部４は、通信ネットワークを介して他の装置と通信を行うものである。上記通信ネットワークは特に限定されるものではなく、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、上記通信ネットワークを構成する伝送媒体も、特に限定されるものではなく、例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【００２１】
撮像部５は、周囲の画像を撮像して画像データを生成するものである。
【００２２】
音声入力部６は、周囲の音声を収集して音声データを生成するものである。
【００２３】
音声出力部７は、制御部２の指示に応じた音声を出力するものである。
【００２４】
記憶部８は、制御部２の指示に応じて各種情報の記憶および読み出しを行う。記憶部８の構成は特に限定されるものではなく、例えば、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００２５】
表示装置９は、多数の画素を備えた表示部３２と、表示部３２の動作を制御する表示駆動部３１とを備えている。表示部３２は液晶表示パネル６１とバックライト６２とを備えており、表示駆動部３１は、制御部２（表示制御部２７）から伝達される画像データに応じて表示部３２の各画素に印加する電圧を制御することで液晶表示パネル６１を駆動し、バックライト６２を点灯させることにより、画像データに応じた画像を表示部３２に表示させる。表示装置９の詳細については後述する。
【００２６】
主電源部１０は、携帯機器１の各部に対して当該各部を駆動するための電力を供給するものであり、通常時には表示装置９に対する電力供給もこの主電源部１０から行われる。なお、主電源部１０の詳細については後述する。
【００２７】
予備電源部１１は、液晶表示パネル６１の駆動を非常停止させるべき条件として予め定められた条件である非常停止条件が生じた場合に、表示装置９に対して所定のＯＦＦシーケンス（電荷放出処理）を実行するための電力を供給する。上記の非常停止条件としては、例えば、主電源部１０の出力電圧（あるいは主電源部１０に備えられるバッテリの出力電圧）が所定値以下に低下した場合、制御部２で実行されるソフトウェアのハングアップが生じた場合、主電源部１０に備えられるバッテリの取り外し動作が行われた場合などが挙げられる。なお、予備電源部１１の詳細については後述する。
【００２８】
制御部２は、携帯機器１の装置本体の全般的な制御（処理）を行うものである。制御部２は、例えば、ＣＰＵや専用プロセッサなどの演算処理部、および、ＲＡＭ、ＲＯＭ、ＨＤＤなどの記憶部（いずれも図示せず）などにより構成されるコンピュータ装置からなり、上記記憶部に記憶されている各種情報および各種制御を実施するためのプログラムを読み出して実行することで、操作制御部２１、通信制御部２２、撮像制御部２３、音声入力制御部２４、音声出力制御部２５、記憶制御部２６、表示制御部２７、および電力供給制御部２８の機能を実行し、携帯機器１の各部の動作を制御する。
【００２９】
操作制御部２１は、操作部３の動作を制御し、操作部３から伝達されるユーザからの指示入力に応じた情報を受け付ける。
【００３０】
通信制御部２２は、通信部４の動作を制御し、他の装置との通信を行う。
【００３１】
撮像制御部２３は、撮像部５の動作を制御し、撮像部５によって撮像された画像データを取得する。
【００３２】
音声入力制御部２４は、音声入力部６の動作を制御し、音声入力部６によって生成された音声データを取得する。
【００３３】
音声出力制御部２５は、音声出力部７の動作を制御し、音声出力を実行させる。
【００３４】
記憶制御部２６は、記憶制御部２６は、記憶部８の動作を制御し、各種データの記憶部８への記憶、および記憶部８に記憶されている各種データの読み出しを行う。
【００３５】
表示制御部２７は、表示部３２に表示させるための画像データ、および各種制御情報（例えばクロック信号、垂直同期信号、水平同期信号スタートパルスなどの各種の制御信号、制御コマンド、パケットなど）を表示駆動部３１に出力する。
【００３６】
電力供給制御部２８は、主電源部１０あるいは予備電源部１１から携帯機器１の各部への電力供給を制御する。電力供給制御部２８の詳細については後述する。
【００３７】
（１−２．表示装置９および表示装置９に対する電力供給系統の構成）
次に、表示装置９および表示装置９に対する電力供給系統の構成について説明する。図１は、電力供給制御部２８、表示装置９、主電源部１０、および予備電源部１１の構成を示す説明図である。
【００３８】
図１に示したように、表示駆動部３１は、フレームメモリ５１、タイミングジェネレータ５２、ソースドライバ５３、ゲートドライバ５４、バックライト駆動部５５、電源切替部５６、およびＯＦＦシーケンス記憶部５７を備えている。また、表示部３２は、液晶表示パネル６１とバックライト６２とを備えている。
【００３９】
液晶表示パネル６１は、少なくとも一方が透明な一対の基板と、上記両基板間に挟持された液晶層と、複数の走査信号線（ゲートライン）と、複数のデータ信号線（ソースライン）と、走査信号線とデータ信号線との各交点に設けられた画素とを備えており、上記各画素は、上記液晶層に電圧を印加するための画素電極および対向電極と、上記画素電極とデータ信号線との間を導通状態と遮断状態とに切り替えるスイッチング素子を備えている。また、各画素のスイッチング素子の動作は当該スイッチング素子に接続された走査信号線に印加される電圧によって制御されるようになっている。また、データ信号線には、当該データ信号線に接続された各画素のスイッチング素子の動作タイミングに同期して、当該各画素に表示させる画像に応じた電圧が供給されるようになっている。
【００４０】
上記液晶表示パネルの構成は特に限定されるものではなく、従来から公知の種々の液晶表示パネルを用いることができるが、本実施形態では、各画素に備えられる上記スイッチング素子としてチャネル層が酸化物半導体からなる薄膜トランジスタ素子を備えた酸化物半導体液晶パネルを用いている。なお、上記の酸化物半導体としては、Ｉｎ（インジウム）、Ｇａ（ガリウム）、Ｚｎ（亜鉛）、およびＯ（酸素）からなるアモルファス酸化物材料が特に適しており、酸化亜鉛（ＺｎＯ）に代表される多結晶材料（いわゆるＩＧＺＯ）を用いることもできる。
【００４１】
酸化物半導体（特にＩＧＺＯ）を用いたスイッチング素子は、従来の液晶表示パネルで用いられているアモルファスシリコン等に比べてＯＦＦ抵抗が非常に高いので、各画素に印加された電荷を長時間にわたって安定して保持できる。このため、表示画像が変化しない期間に液晶表示パネルの各画素への印加電圧の書き込み動作を行わない休止駆動を行うことができるので、従来のアモルファスシリコン等からなるスイッチング素子を用いた液晶表示装置よりも低周波数で表示駆動することができ、それによって消費電力の低減を図ることができる。
【００４２】
一方で、酸化物半導体を用いたスイッチング素子は、上述したようにＯＦＦ抵抗が非常に高いので、突然の電源消失などにより通常のＯＦＦシーケンスを実行することなく電源供給が遮断された場合に、各画素に印加された電荷が抜けにくく、各画素に電荷が留まったままの状態が長期にわたって持続することにより焼付き現象が発生しやすいという特性がある。そこで、本実施形態では、突然の電源消失等が生じた場合であっても、予備電源部１１から表示装置９に供給される電力を用いて表示装置９のＯＦＦシーケンスを実行させることにより、各画素に印加された電荷を放出して焼付き現象の発生を防止するようにしている。
【００４３】
バックライト６２は、液晶表示パネル６１に対して表示のための光を供給するものである。バックライト６２の構成は特に限定されるものではなく、従来から公知の種々の構成を用いることができる。なお、本実施形態では、バックライト６２からの照射光を用いて表示を行う透過型の液晶表示パネルを用いる場合について説明するが、これに限るものではない。例えば、液晶表示パネルの外部から入射する光を反射させて表示を行う反射型の液晶表示パネルを用いてもよく、その場合にはバックライト６２を省略してもよい。
【００４４】
フレームメモリ５１は、表示制御部２７から転送されてくる画像データを少なくとも１フレーム分（１画面分）格納する画像メモリである。
【００４５】
タイミングジェネレータ５２は、表示制御部２７から入力されてくる制御信号に基づいてフレームメモリ５１に記憶させた画像データを表示部３２に表示させるための駆動タイミング（駆動パターン）を生成する。また、タイミングジェネレータ５２は、駆動タイミングに同期して画像データをソースドライバ５３に与えるとともに、ソースドライバ５３およびゲートドライバ５４の動作を制御するための各種の制御信号（ソースドライバ５３のためのソースクロックおよびソーススタートパルス、およびゲートドライバ５４のためのゲートクロックおよびゲートスタートパルスなど）を生成する。
【００４６】
また、タイミングジェネレータ５２は、液晶表示パネル６１の各画素に蓄積された電荷を各画素の外部に放出するための液晶表示パネル６１のＯＦＦシーケンスを実行する場合には、ＯＦＦシーケンス記憶部５７に格納されているデータに基づいてＯＦＦシーケンス（電荷放出処理）を各部に実行させるための信号を生成する。具体的には、本実施形態では、タイミングジェネレータ５２は、ＯＦＦシーケンスを実行する場合、ＯＦＦシーケンス記憶部５７に格納されている所定の画像データに応じた画像（例えば黒画像）を表示部３２に描画するための駆動タイミング（駆動パターン）を生成する。また、タイミングジェネレータ５２は、駆動タイミングに同期して上記所定の画像データをソースドライバ５３に与えるとともに、ソースドライバ５３およびゲートドライバ５４の動作を制御するための各種の制御信号を生成する。
【００４７】
なお、ＯＦＦシーケンスの実行時に各画素に描画させる画像は黒画像に限るものではなく、例えば、１画素毎または数画素毎に白黒が反転する市松模様を描画させるようにしてもよい。
【００４８】
また、ＯＦＦシーケンス（電荷放出処理）の処理内容は、液晶表示パネル６１の各画素に蓄積された電荷を各画素の外部に放出できる処理であれば特に限定されるものではない。例えば、各画素のスイッチング素子を導通させた状態で各データ信号線を接地あるいは対向電極と同電位に接続したり、逆極性の電荷が印加されている複数のデータ信号線間を短絡させることにより各画素の電荷を放出させるようにしてもよい。
【００４９】
ソースドライバ５３は、タイミングジェネレータ５２から入力される画像データを、シフトレジスタによって生成されたタイミングで１ライン分保存して出力する。具体的には、ソースドライバ５３のシフトレジスタは、タイミングジェネレータ５２から入力されるソーススタートパルスをソースクロックに同期して順次シフトさせて出力する。また、ソースドライバ５３は、シフトレジスタから出力された画像データが表す階調に応じた階調電圧を選択し、データ電圧として液晶表示パネル６１における各データ信号線に出力する。さらに、ソースドライバ５３は、出力段にソースラインと同数設けられているソースアンプを有しており、このソースアンプを介してデータ電圧をソースラインに出力する。
【００５０】
ゲートドライバ５４は、タイミングジェネレータ５２から入力されるゲートスタートパルスおよびゲートクロックに基づいて、液晶表示パネル６１における各走査信号線に出力するゲート信号を生成する。具体的には、ゲートドライバ５４は、シフトレジスタによって、ゲートスタートパルスをゲートクロックに同期して順次シフトさせてゲート信号を出力する。ゲートドライバ５４は、このようなゲート信号を出力することにより、走査信号線を線順次に選択する。
【００５１】
バックライト駆動部５５は、バックライト６２を駆動する。なお、上述したように、反射型の液晶表示パネルを用いてもよく、その場合にはバックライト６２およびバックライト駆動部５５を省略してもよい。
【００５２】
電源切替部５６は、制御部２から入力される電源切替信号に応じて、主電源部１０および予備電源部１１と表示装置９の各部との接続状態を、主電源部１０と表示装置９の各部とを導通させる第１状態と、主電源部１０と表示装置９の各部とを遮断して予備電源部１１と表示装置９の各部とを導通させる第２状態とを切り替える。
【００５３】
ＯＦＦシーケンス記憶部５７は、ＯＦＦシーケンスの実行時における液晶表示パネル６１の各画素の駆動方法を決定するためのデータを記憶している。本実施形態では、ＯＦＦシーケンスの実行時に、液晶表示パネル６１の各画素に黒画像を描画させるための電圧を印加することにより、各画素における電極間（画素電極−対向電極間）の電位差をゼロまたはそれに近い値に設定し、焼付き現象の発生を防止するようになっている。ただし、上述したように、ＯＦＦシーケンス（電荷放出処理）の処理内容はこれに限るものではない。
【００５４】
主電源部１０は、バッテリ７１、電圧変換部７２、電圧検出部７３、および外部電源接続部７４を備えている。
【００５５】
バッテリ７１は、携帯機器１の各部に当該各部を動作させるための電力を供給する電力供給源である。バッテリ７１の構成は特に限定されるものではなく、従来から公知の種々の構成を用いることができる。なお、本実施形態では、バッテリ７１は携帯機器１に対して着脱可能に装着されるようになっているが、これに限らず、携帯機器１に内蔵されていてもよい。
【００５６】
電圧変換部７２は、配電制御部４１から入力される配電制御信号に応じて、バッテリ７１からの出力電圧を携帯機器１の各部の駆動電圧に応じた電圧に変換し、携帯機器１の各部に出力する。
【００５７】
電圧検出部７３は、バッテリ７１の電圧を検出して制御部２および外部電源接続部７４に伝達する。
【００５８】
外部電源接続部７４は、携帯機器１を外部電源（例えば商用電力供給源、発電装置、蓄電装置など）に接続し、外部電源から供給される電力を用いてバッテリ７１を充電する。なお、外部電源接続部７４は、電圧検出部７３によるバッテリ７１の検出電圧が所定の充電電圧に達した場合にバッテリ７１の充電を停止するようになっている。
【００５９】
予備電源部１１は、充電部８１、電圧変換部８２、および充電電圧検出部８３を備えている。
【００６０】
充電部８１は、主電源部１０から供給される電力を充電する。充電部８１の構成は、表示装置９に対してＯＦＦシーケンスを実行させるための電力を充電可能な構成であれば特に限定されるものではなく、例えば、コンデンサや二次電池（蓄電池）などを用いることができる。
【００６１】
電圧変換部８２は、充電部８１からの出力電圧を表示装置９にＯＦＦシーケンスを実行させるための電圧に変換し、表示装置９に出力する。
【００６２】
充電電圧検出部８３は、充電部８１（充電部８１に備えられる各充電手段）の電圧を検出し、制御部２に伝達する。
【００６３】
電力供給制御部２８は、配電制御部４１、異常検出部４２、および切替制御部４６を備えている。また、異常検出部４２は、電圧低下検出部４３、ソフトウェア異常検出部４４、およびバッテリ取外動作検出部４５を備えている。
【００６４】
配電制御部４１は、携帯機器１の動作状況に応じて携帯機器１の各部に供給すべき電力を決定し、決定した電力を主電源部１０から当該各部に供給させる。また、配電制御部４１は、予備電源部１１における充電部８１（充電部８１に備えられる各充電手段）の充電を開始した後、充電電圧検出部８３によって検出される充電部８１の電圧が所定の充電完了電圧に到達した場合に主電源部１０から充電部８１への電力供給を停止して充電部８１の充電を停止させる。また、配電制御部４１は、充電部８１の電圧が所定の充電再開電圧まで降下した場合には、主電源部１０から充電部８１への電力供給を再開する。すなわち、配電制御部４１は、充電部８１の電圧検出結果に応じて、充電部８１への電力供給の開始と停止とを繰り返す。なお、このような充電部８１への電力供給の開始と停止とを繰り返す充電方式は、二次電池（蓄電池）のように耐圧性能に制限がある場合には有効な手段であるが、コンデンサを用いる場合には充電部８１への電力供給を停止する必要がない場合もある。このため、充電部８１に対する充電方式は上述の方式に限るものではなく、充電部８１に備えられる充電手段の特性等に応じて適宜変更してもよい。
【００６５】
異常検出部４２は、電圧低下検出部４３、ソフトウェア異常検出部４４、およびバッテリ取外動作検出部４５を備えている。
【００６６】
電圧低下検出部４３は、バッテリ７１の出力電圧（あるいは充電電圧）が表示装置９のＯＦＦシーケンスを開始させる電圧として予め設定された所定電圧値以下に低下した場合にそれを検出する。本実施形態では、バッテリ７１の正常電圧（携帯機器１の各部を正常に駆動することのできる電圧）は２．７５Ｖ〜４．２Ｖであり、上記所定電圧値は２．７５Ｖに設定されている。なお、電圧低下検出部４３が、主電源部１０の出力電圧が所定電圧値以下に低下したことを検出するようにしてもよい。
【００６７】
ソフトウェア異常検出部４４は、制御部２において動作する各種ソフトウェアに表示装置９のＯＦＦシーケンスを開始させる条件として予め設定された条件が生じた場合にそれを検出する。上記条件としては、例えば、制御部２による表示装置９の動作の制御不良の発生、あるいは制御部２による携帯端末１の動作の制御不良の発生などが挙げられる。具体例としては、例えば、表示制御部２７による表示駆動部３１の動作制御不良の発生（例えば表示制御部２７が表示部３２の表示状態を制御することができなくなるハングアップ（フリーズ）の発生）、携帯端末１のシステム全体のハングアップ（例えば記憶部８のデータ破壊等による制御部２の動作制御不良に起因するシャットダウン）などが挙げられる。
【００６８】
バッテリ取外動作検出部４５は、バッテリ７１の取り外し動作が行われた場合にそれを検出する。本実施形態では、バッテリ７１を収容しているバッテリ収容部の蓋（図示せず）を開閉する動作が行われた場合に、バッテリ取外動作検出部４５がバッテリ７１の取り外し動作が行われたものとして検知するようになっている。ただし、バッテリ取外動作検出部４５によって検出されるバッテリ７１の取り外し動作はこれに限るものではなく、例えば、バッテリ７１自体を携帯機器１から取り外す動作であってもよく、バッテリ７１を携帯機器１に固定している固定部材に対する固定を解除するための動作などであってもよい。
【００６９】
なお、異常検出部４２は、表示装置９のＯＦＦシーケンスを開始させる必要のある所定の条件が生じたことを検出するものであればよく、当該条件は、電圧低下検出部４３、ソフトウェア異常検出部４４、およびバッテリ取外動作検出部４５が検出する上記条件に限るものではない。例えば、携帯機器１に所定レベル以上の振動や衝撃が生じた場合に、異常検出部４２がそれを表示装置９のＯＦＦシーケンスを開始させる必要のある条件として検出するようにしてもよい。
【００７０】
切替制御部４６は、異常検出部４２が表示装置９のＯＦＦシーケンスを開始させる必要のある所定の条件が生じたことを検出した場合に、表示駆動部３１のタイミングジェネレータ５２および電源切替部５６に電源切替信号を送り、予備電源部１１から表示装置９に供給される電力を用いて表示装置９のＯＦＦシーケンスを実行させる。この際、電源切替部５６は、表示装置９と予備電源部１１との間（予備電源電力の供給経路）を接続状態とする一方、表示装置９と主電源部１０との間（主電源電力の供給経路）を遮断状態とする。これにより、予備電源電力を用いて表示装置９のＯＦＦシーケンスを実行する場合に、表示装置９と主電源部１０との間を遮断状態にすることで、表示装置９のＯＦＦシーケンス動作が携帯機器１における表示装置９以外の各部（制御部２および他の部材）に影響を及ぼすことを防止できるようになっている。
【００７１】
（１−３．主電源部１０、予備電源部１１、および電源切替部５６の構成）
図３は、主電源部１０、予備電源部１１、および電源切替部５６の構成を示す説明図である。
【００７２】
図３に示したように、主電源部１０の電圧変換部７２は、５．８Ｖ ＤＣＤＣコンバータ７２ａ、１．８Ｖ ＤＣＤＣコンバータ７２ｂ、および２０Ｖ ＤＣＤＣコンバータ７２ｃを備えている。
【００７３】
また、電源切替部５６は、切替スイッチ５６ａおよび切替スイッチ５６ｂを備えている。
【００７４】
また、予備電源部１１の充電部８１はコンデンサ８１ａ、ダイオード８１ｂ、およびコンデンサ８１ｃを備えている。また、予備電源部１１は、電圧変換部８２として１．６５Ｖ ＬＤＯ（low drop out）レギュレータを備えている。
【００７５】
なお、図３では、主電源部１０の外部電源接続部７４、および予備電源部１１の充電電圧検出部８３については図示を省略している。
【００７６】
５．８Ｖ ＤＣＤＣコンバータ７２ａは、入力端子がバッテリ７１に接続されており、出力端子が切替スイッチ５６ａの一端およびダイオード８１ｂの一端に接続されている。これにより、５．８Ｖ ＤＣＤＣコンバータ７２ａは、バッテリ７１からの入力電圧を５．８Ｖに電圧変換して切替スイッチ５６ａおよびダイオード８１ｂに出力する。
【００７７】
切替スイッチ５６ａの他端はゲートドライバ５４、ソースドライバ５３、およびコンデンサ８１ａに接続されている。これにより、５．８Ｖ ＤＣＤＣコンバータ７２ａからの５．８Ｖの出力電力が切替スイッチ５６ａを介してゲートドライバ５４およびソースドライバ５３に供給されるとともに、コンデンサ８１ａに充電される。
【００７８】
切替スイッチ５６ａは、表示装置９のＯＦＦシーケンスを実行する場合に、ゲートドライバ５４、ソースドライバ５３、およびコンデンサ８１ａと主電源部１０との間を遮断する。これにより、コンデンサ８１ａに蓄えられた電力がゲートドライバ５４およびソースドライバ５３に供給される。
【００７９】
ダイオード８１ｂの他端は、コンデンサ８１ｃ、および１．６５Ｖ ＬＤＯからなる電圧変換部８２に接続されている。これにより、５．８Ｖ ＤＣＤＣコンバータ７２ａからの５．８Ｖの出力電力がダイオード８１ｂを介してコンデンサ８１ｃに充電されるとともに、電圧変換部（１．６５Ｖ ＬＤＯ）８２によって１．６５Ｖに電圧変換される。電圧変換部（１．６５Ｖ ＬＤＯ）８２の出力端子は、切替スイッチ５６ｂの出力端子と、フレームメモリ５１、タイミングジェネレータ５２、およびＯＦＦシーケンス記憶部５７との間に接続されている。
【００８０】
１．８Ｖ ＤＣＤＣコンバータ７２ｂは、入力端子がバッテリ７１に接続されており、出力端子が切替スイッチ５６ｂの一端および制御部２に接続されている。これにより、１．８Ｖ ＤＣＤＣコンバータ７２ｂは、バッテリ７１からの入力電圧を１．８Ｖに電圧変換して切替スイッチ５６ｂおよび制御部２に出力する。本実施形態では、制御部２は、この主電源部１０から供給される１．８Ｖの電力を用いて動作するようになっている。
【００８１】
切替スイッチ５６ｂの他端は、電圧変換部（１．６５Ｖ ＬＤＯ）８２の出力端子、フレームメモリ５１、タイミングジェネレータ５２、およびＯＦＦシーケンス記憶部５７に接続されている。これにより、切替スイッチ５６ｂにより１．８Ｖ ＤＣＤＣコンバータ７２ｂとフレームメモリ５１、タイミングジェネレータ５２、およびＯＦＦシーケンス記憶部５７との間が接続されている場合には１．８Ｖ ＤＣＤＣコンバータ７２ｂからの１．８Ｖの出力電力がフレームメモリ５１、タイミングジェネレータ５２、およびＯＦＦシーケンス記憶部５７に供給される。
【００８２】
この場合、電圧変換部（１．６５Ｖ ＬＤＯ）８２の出力電圧は、１．８Ｖ ＤＣＤＣコンバータ７２ｂの出力電圧よりも低いので、フレームメモリ５１、タイミングジェネレータ５２、およびＯＦＦシーケンス記憶部５７に対して実質的に供給されない。
【００８３】
また、表示装置９のＯＦＦシーケンスを実行する場合、切替スイッチ５６ｂは、１．８Ｖ ＤＣＤＣコンバータ７２ｂとフレームメモリ５１、タイミングジェネレータ５２、およびＯＦＦシーケンス記憶部５７との間を遮断する。これにより、コンデンサ８１ｃに蓄えたれた電力が電圧変換部（１．６５Ｖ ＬＤＯ）８２によって１．６５Ｖに電圧変換されてフレームメモリ５１、タイミングジェネレータ５２、およびＯＦＦシーケンス記憶部５７に出力される。この際、コンデンサ８１ｃはダイオード８１ｂを介して５．８Ｖ ＤＣＤＣコンバータ７２ａに接続されているので、コンデンサ８１ｃに蓄えられた電力が５．８Ｖ ＤＣＤＣコンバータ７２ａ側には出力されることはない。
【００８４】
なお、本実施形態では、主電源部１０からの供給電力を用いて液晶表示パネル６１に通常の画像表示を行わせる場合にはフレームメモリ５１、タイミングジェネレータ５２、およびＯＦＦシーケンス記憶部５７に１．８Ｖの電力が供給されるが、フレームメモリ５１、タイミングジェネレータ５２、およびＯＦＦシーケンス記憶部５７にＯＦＦシーケンスの動作を実行させるための最低電圧は１．６５Ｖであり、予備電源部１１に蓄えた電力を用いてＯＦＦシーケンスを実行する場合にはフレームメモリ５１、タイミングジェネレータ５２、およびＯＦＦシーケンス記憶部５７に１．６５Ｖの電力が供給されるようになっている。これにより、予備電源部１１の充電部８１に要求される充電容量を低減し、装置構成を小型化し、充電時間を短縮できる。
【００８５】
２０Ｖ ＤＣＤＣコンバータ７２ｃは、入力端子がバッテリ７１に接続されており、出力端子がバックライト駆動部５５に接続されている。これにより、２０Ｖ ＤＣＤＣコンバータ７２ｃは、バッテリ７１からの入力電圧を２０Ｖに電圧変換してバックライト駆動部５５に出力する。
【００８６】
（１−４．表示装置９への電力供給の制御方法）
図４は、携帯機器１における表示装置９への電力供給の制御処理の流れを示すフローチャートである。
【００８７】
まず、切替制御部４６は、表示装置９の電源がＯＮにされると（Ｓ１）、主電源部１０からの出力電力を表示装置９の各部に供給するように電源切替部５６の動作を制御する（Ｓ２）。
【００８８】
その後、配電制御部４１は、充電電圧検出部８３による充電部８１の電圧検出結果に基づいて充電部８１が充電済みであるか否か（充電部８１の充電電圧が所定電圧値以上であるか否か）を判断し（Ｓ３）、充電済み出ない場合には充電部８１の充電を開始させる（Ｓ４）。
【００８９】
なお、充電部８１の充電に要する時間が、表示装置９の電源投入から表示開始までに要する時間である表示ＯＮシーケンス時間よりも充分短い場合、あるいは充電部８１への電力供給の開始と停止とを繰り返す必要のない充電方式の場合などには、Ｓ３およびＳ４の処理を省略してもよい。また、Ｓ３およびＳ４の処理を省略する場合、充電電圧検出部８３についても省略してもよい。
【００９０】
Ｓ３において配電制御部４１が充電部８１は充電済みであると判断した場合、バッテリ取外動作検出部４５は、バッテリ７１の取り外し動作が行われたか否かを判断する（Ｓ５）。
【００９１】
また、Ｓ５においてバッテリ７１の取り外し動作が行われていないと判断した場合、ソフトウェア異常検出部４４は、ソフトウェアの異常が生じているか否か（表示装置９のＯＦＦシーケンスを開始させる条件として予め設定された条件が生じているか否か）を判断する（Ｓ６）。
【００９２】
また、Ｓ６においてソフトウェアの異常が生じていないと判断した場合、電圧低下検出部４３は、主電源部１０のバッテリ７１の電圧が表示装置９のＯＦＦシーケンスを開始させる電圧として予め設定された所定電圧値以下に低下しているか否かを判断する（Ｓ７）。
【００９３】
そして、Ｓ７においてバッテリ７１の電圧が所定電圧値以下に低下していないと判断した場合（バッテリ７１の取り外し動作が行われておらず、かつソフトウェアの異常が生じておらず、かつバッテリ７１の電圧が所定電圧値以下に低下していないと判断した場合）、制御部２は、表示装置９の電源をＯＦＦにするか否かを判断する（Ｓ８）。この判断は、例えば、操作部３に対してユーザから表示装置９の電源をＯＦＦにするための指示が入力されたか否かによって行ってもよく、操作部３に対するユーザからの指示入力が所定時間以上行われなかった場合に電源をＯＦＦにすると判断するようにしてもよい。
【００９４】
Ｓ８において表示装置９の電源をＯＦＦにしないと判断した場合にはＳ３の処理に戻る。
【００９５】
一方、Ｓ８において表示装置９の電源をＯＦＦにすると判断した場合、表示制御部２７は表示装置９のＯＦＦシーケンスを実行させるための制御信号をタイミングジェネレータ５２に送り、主電源部１０から供給される電力を用いて表示装置９のＯＦＦシーケンスを実行させ（Ｓ９）、処理を終了する。
【００９６】
また、Ｓ５においてバッテリ７１の取り外し動作が行われたと判断した場合、Ｓ６においてソフトウェアの異常が生じていると判断した場合、およびＳ７においてバッテリ７１の電圧が所定電圧値以下に低下したと判断した場合、切替制御部４６は、電源切替部５６に対して、主電源部１０からの表示装置９への電力供給経路を遮断し（Ｓ１０）、予備電源部１１に蓄えられた電力を表示装置９に供給させる（Ｓ１１）ための電源切替信号を出力し、表示装置９の各部に予備電源部１１から供給される電力を用いてＯＦＦシーケンスを実行させ（Ｓ１２）、処理を終了する。
【００９７】
なお、本実施形態では、非常停止条件が発生しておらず、通常の電源ＯＦＦ動作を行う場合には主電源部１０から供給される電力を用いて表示装置９のＯＦＦシーケンスを実行させるものとしている。ただし、これに限らず、非常停止条件が発生しておらず、通常の電源ＯＦＦ動作を行う場合であっても、非常停止条件が発生した場合と同様、予備電源部１１から供給される電力を用いて表示装置９のＯＦＦシーケンスを実行するようにしてもよい。
【００９８】
（１−５．主電源部１０、予備電源部１１、および電源切替部５６の変形例）
なお、本実施形態では、図３に示したように、５．８Ｖ ＤＣＤＣコンバータ７２ａの出力電力を用いて予備電源部１１の充電部８１（コンデンサ８１ａ，８１ｃ）を充電するものとしているが、これに限るものではない。
【００９９】
例えば、図５に示すように、バッテリ７１の出力電力を、ダイオード８１ｂを介してコンデンサ８１ｃに供給することでコンデンサ８１ｃを充電する構成としてもよい。
【０１００】
また、図６に示すように、２０Ｖ ＤＣＤＣコンバータ７２ｃの出力電力を、ダイオード８１ｂを介してコンデンサ８１ｃに供給することでコンデンサ８１ｃを充電する構成としてもよい。
【０１０１】
また、図７に示すように、切替スイッチ５６ｂの出力端子にコンデンサ８１ｃを接続し、１．８Ｖ ＤＣＤＣコンバータ７２ｂの出力電力を、切替スイッチ５６ｂを介してコンデンサ８１ｃに供給することでコンデンサ８１ｃを充電する構成としてもよい。この場合、切替スイッチ５６ｂによって１．８Ｖ ＤＣＤＣコンバータ７２ｂとフレームメモリ５１、タイミングジェネレータ５２、およびＯＦＦシーケンス記憶部５７との間を遮断することにより、コンデンサ８１ｃに蓄えられた電力がフレームメモリ５１、タイミングジェネレータ５２、およびＯＦＦシーケンス記憶部５７に供給され、ＯＦＦシーケンスが実行される。なお、コンデンサ８１ｃの充電電圧は１．８Ｖであることから、ＯＦＦシーケンスの実行時にはコンデンサ８１ｃに蓄えられた電荷をそのままフレームメモリ５１、タイミングジェネレータ５２、およびＯＦＦシーケンス記憶部５７に供給すればよいので、図７の例では電圧変換部（１．６５Ｖ ＬＤＯ）８２を省略している。また、１．８Ｖ ＤＣＤＣコンバータ７２ｂとコンデンサ８１ｃとの間に切替スイッチ５６ｂが設けられており、予備充電電力を用いたＯＦＦシーケンスの実行時には１．８Ｖ ＤＣＤＣコンバータ７２ｂとコンデンサ８１ｃとの間は遮断されるので、予備電源部１１からの出力電力が表示装置９以外の部材に影響を及ぼす恐れがないことから、図７の例ではダイオード８１ｂについても省略している。
【０１０２】
また、図８に示すように、図３に示した構成において、電圧変換部（１．６５Ｖ ＬＤＯ）８２を切替スイッチ（接続切替部）５６ｂに接続し、切替スイッチ５６ｂが主電源部１０（１．８Ｖ ＤＣＤＣコンバータ７２ｂ）からの出力電力をフレームメモリ５１、タイミングジェネレータ５２、およびＯＦＦシーケンス記憶部５７に供給するか、予備電源部１１（電圧変換部（１．６５Ｖ ＬＤＯ）８２）からの出力電力をフレームメモリ５１、タイミングジェネレータ５２、およびＯＦＦシーケンス記憶部５７に供給するかを切替スイッチ５６ｂによって切り替える構成としてもよい。
【０１０３】
同様に、図５および図６に示した構成において、電圧変換部（１．６５Ｖ ＬＤＯ）８２を切替スイッチ（接続切替部）５６ｂに接続し、切替スイッチ５６ｂが主電源部１０（１．８Ｖ ＤＣＤＣコンバータ７２ｂ）からの出力電力をフレームメモリ５１、タイミングジェネレータ５２、およびＯＦＦシーケンス記憶部５７に供給するか、予備電源部１１（電圧変換部（１．６５Ｖ ＬＤＯ）８２）からの出力電力をフレームメモリ５１、タイミングジェネレータ５２、およびＯＦＦシーケンス記憶部５７に供給するかを切替スイッチ５６ｂによって切り替える構成としてもよい。
【０１０４】
また、図３、図５、あるいは図６に示した構成において、電圧変換部（１．６５Ｖ ＬＤＯ）８２を切替スイッチ５６ｂとは異なる他の切替スイッチ（図示せず；接続切替部）を介して表示駆動部３１に接続しておき、主電源部１０から表示駆動部３１に電力を供給する場合には予備電源部１１と表示駆動部３１との間を遮断状態に切り替え、予備電源部１１から表示駆動部３１に電力を供給する場合に予備電源部１１と表示駆動部３１との間を切り替えるようにしてもよい。
【０１０５】
また、本実施形態では、予備電源部１１の充電部８１に備えられる充電手段としてコンデンサを用いる場合について説明したが、上記充電手段の構成はこれに限るものではない。例えば、コンデンサに代えて、二次電池（蓄電池）を用いてもよい。
【０１０６】
図９は、コンデンサ８１ｃに代えて二次電池８１ｄを用いる場合の構成例を示している。この図に示す例では、電圧変換部７２が、５．８Ｖ ＤＣＤＣコンバータ７２ａ、１．８Ｖ ＤＣＤＣコンバータ７２ｂ、および２０Ｖ ＤＣＤＣコンバータ７２ｃに加えて、３．０Ｖ ＬＤＯ７２ｄを備えている。
【０１０７】
３．０Ｖ ＬＤＯ７２ｄは、入力端子がバッテリ７１に接続され、出力端子がダイオード８１ｂの入力端子に接続されている。また、ダイオード８１ｂの出力端子は二次電池８１ｄに接続されている。これにより、バッテリ７１からの出力電力が３．０Ｖ ＬＤＯ７２ｄで３．０Ｖに電圧変換され、ダイオード８１ｂを介して二次電池８１ｄに充電される。また、切替スイッチ５６ｂによって１．８Ｖ ＤＣＤＣコンバータ７２ｂとフレームメモリ５１、タイミングジェネレータ５２、およびＯＦＦシーケンス記憶部５７との間が遮断されると、二次電池８１ｄに蓄えられた電力が電圧変換部（１．６５Ｖ ＬＤＯ）８２によって１．６５Ｖに電圧変換されてフレームメモリ５１、タイミングジェネレータ５２、およびＯＦＦシーケンス記憶部５７に供給される。
【０１０８】
なお、バッテリ７１の出力を３．０Ｖ ＬＤＯ７２ｄで電圧変換して二次電池８１ｄに充電する構成に限らず、例えば、５．８Ｖ ＤＣＤＣコンバータ７２ａ、あるいは２０Ｖ ＤＣＤＣコンバータ７２ｃの出力を３．０Ｖ ＬＤＯ７２ｄで電圧変換して二次電池８１ｄに充電する構成としてもよい。
【０１０９】
また、外部電源（例えば、商用電力供給源、発電装置、蓄電装置など）を予備電源部１１に接続し、外部電源から供給される電力を用いて予備電源部１１の充電部８１に備えられる充電手段（コンデンサあるいは二次電池）を充電する構成としてもよい。
【０１１０】
予備電源部１１の充電部８１に備えられる充電手段として二次電池を用いる場合、充電容量を大きくできるというメリットがある一方、コンデンサを用いる場合に比べて、耐圧性能が比較的低いという問題、および充電時間が長くかかるという問題がある。
【０１１１】
また、予備電源部１１の充電部８１に備えられる充電手段としてコンデンサを用いる場合、充電電圧が低いと、従来から市販されている多様なコンデンサの中から使用するコンデンサを選択できるのでコストを低減できるというメリットがある一方、要求される充電容量を確保するために必要なコンデンサの容量サイズが大きくなってしまうというデメリットがある。また、予備電源部１１の充電部８１に備えられる充電手段としてコンデンサを用いる場合、充電電圧が高いと、コンデンサの容量サイズを小さくできるというメリットがある一方、予備電源部１１に備えられる電圧変換部（１．６５Ｖ ＬＤＯ）８２のサイズが大きくなってしまうという問題がある。
【０１１２】
このため、予備電源部１１に対する電力供給源として選択可能な各電力供給源からの供給電圧、ＯＦＦシーケンス実行時に表示駆動部３１に供給すべき電力量、および、要求される装置サイズや充電所要時間などの条件などに応じて、予備電源部１１の構成（充電部８１に設ける充電手段（例えばコンデンサあるいは二次電池など）、充電手段に対する充電電力の供給源など）を適宜変更してもよい。すなわち、充電に要する時間や充電手段のサイズなどを最適化できるように、充電手段の種類や充電手段に対する充電電力の供給源などを適宜変更してもよい。
【０１１３】
また、本実施形態では、主電源部１０がバッテリ７１を備えている構成について説明したが、これに限らず、外部電源（例えば、商用電力供給源、発電装置、蓄電装置など）を主電源部１０に接続し、外部電源から供給される電力を用いて携帯機器１の各部を駆動する構成としてもよい。
【０１１４】
（１−６．まとめ）
本発明の一態様にかかる液晶表示装置は、複数の画素を備えた液晶表示パネルと、画像データに応じて上記各画素に印加する電圧を制御することで上記液晶表示パネルを駆動する表示駆動部表示駆動部と、上記液晶表示パネルを駆動するための電力を上記表示駆動部に供給する主電源部とを備え、上記液晶表示パネルの駆動を停止させる際に上記表示駆動部が上記各画素に蓄積された電荷を放出させる電荷放出処理を行う液晶表示装置であって、上記表示駆動部に上記電荷放出処理を実行させるための電力を充電する予備電源部と、上記液晶表示パネルの駆動を非常停止させるべき条件として予め定められた条件である非常停止条件の発生を検出する異常検出部と、上記主電源部から上記表示駆動部への電力供給経路を導通状態と遮断状態とに切り替える電源切替部とを備え、上記異常検出部が上記非常停止条件の発生を検出した場合に、上記電源切替部が上記電力供給経路を遮断状態に切り替え、上記表示駆動部が上記予備電源部から供給される電力を用いて上記電荷放出処理を実行することを特徴としている。
【０１１５】
上記の構成によれば、異常検出部が非常停止条件の発生を検出した場合に、電源切替部が主電源部から表示駆動部への電力供給経路を遮断状態に切り替え、表示駆動部が予備電源部から供給される電力を用いて電荷放出処理を実行する。これにより、液晶表示パネルの駆動を非常停止させる場合に、予備電源部から表示駆動部に供給される電力を用いて電荷放出処理を実行することができるので、焼付き現象が生じることを防止できる。また、表示駆動部における電荷放出処理の影響が主電源部から供給される電力を用いて動作する他の部材に及ぶことを防止できる。また、予備電源部は、表示駆動部に電荷放出処理を実行させるために必要な電力を供給できる構成であればよいので、予備電源部の充電能力（充電容量）を最適化し、装置の小型化を図ることができる。
【０１１６】
また、上記異常検出部は、上記主電源部の出力電圧、または上記主電源部に備えられるバッテリの出力電圧の所定値以下への低下を上記非常停止条件として検出する構成であってもよい。
【０１１７】
上記の構成によれば、主電源部の出力電圧、または上記主電源部に備えられるバッテリの出力電圧が所定値以下に低下した場合に、主電源部から表示駆動部への電力供給経路を遮断状態に切り替えるとともに、予備電源部から供給される電力を用いて表示駆動部に電荷放出処理を実行させることができる。これにより、焼付き現象が生じることを防止するとともに、表示駆動部における電荷放出処理の影響が主電源部から供給される電力を用いて動作する他の部材に及ぶことを防止できる。
【０１１８】
また、上記異常検出部は、当該液晶表示装置および当該液晶表示装置を備えた電子機器の少なくとも一方における動作制御不良の発生を上記非常停止条件として検出する構成としてもよい。
【０１１９】
上記の構成によれば、当該液晶表示装置または当該液晶表示装置を備えた電子機器の動作制御不良が生じた場合に、主電源部から表示駆動部への電力供給経路を遮断状態に切り替えるとともに、予備電源部から供給される電力を用いて表示駆動部に電荷放出処理を実行させることができる。これにより、焼付き現象が生じることを防止するとともに、表示駆動部における電荷放出処理の影響が主電源部から供給される電力を用いて動作する他の部材に及ぶことを防止できる。なお、上記の動作制御不良としては、表示駆動部の動作制御不良（例えば表示画面のフリーズ等）の発生、上記電子機器のシステム全体のハングアップ（例えば記憶手段に記憶しているデータの破壊等に起因するシャットダウン等）などが挙げられる。
【０１２０】
また、上記異常検出部は、上記主電源部に備えられるバッテリを取り外すための動作を上記非常停止条件として検出する構成としてもよい。なお、上記のバッテリを取り外すための動作としては、例えば、バッテリが収容されているバッテリ収容部の蓋を開閉する動作、バッテリを保持しているバッテリ保持部を操作して保持状態を解除する動作、バッテリを抜き取る動作などが挙げられる。
【０１２１】
上記の構成によれば、主電源部に備えられるバッテリを取り外すための動作が行われた場合に、主電源部から表示駆動部への電力供給経路を遮断状態に切り替えるとともに、予備電源部から供給される電力を用いて表示駆動部に電荷放出処理を実行させることができる。これにより、焼付き現象が生じることを防止するとともに、表示駆動部における電荷放出処理の影響が主電源部から供給される電力を用いて動作する他の部材に及ぶことを防止できる。
【０１２２】
また、上記予備電源部は、上記主電源部から供給される電力を用いて充電されるようになっており、上記主電源部から上記予備電源部への電力供給経路に、上記主電源部から上記予備電源部への電力供給を許容する一方、上記予備電源部から上記主電源部への電力供給を遮断するダイオードが設けられている構成としてもよい。
【０１２３】
上記の構成によれば、主電源部から供給される電力を用いて予備電源部を充電するとともに、予備電源部に充電された電力が主電源部に逆流することを防止できる。
【０１２４】
また、上記予備電源部から上記表示駆動部への供給電圧は、上記主電源部から上記表示駆動部への供給電圧よりも低く、かつ、上記予備電源部における上記表示駆動部に電力を供給するための出力端子は、上記電源切替部と上記表示駆動部との間に接続されている構成としてもよい。
【０１２５】
上記の構成によれば、主電源部から表示駆動部への電力供給が行われている場合には予備電源部から表示駆動部へは実質的に電力が供給されず、主電源部から表示駆動部への電力供給が遮断された場合に予備電源部から表示駆動部への電力供給が行われる構成を簡単な回路で容易に実現することができる。
【０１２６】
また、上記予備電源部から上記表示駆動部への電力供給経路を導通状態と遮断状態とに切り替える接続切替部を備え、上記接続切替部は、上記主電源部から上記表示駆動部に電力を供給する場合には遮断状態に切り替えられ、上記予備電源部から上記表示駆動部に電力を供給する場合には導通状態に切り替えられる構成としてもよい。
【０１２７】
上記の構成によれば、主電源部から表示駆動部への電力供給が行われている場合には予備電源部から表示駆動部に電力を供給せず、主電源部から表示駆動部への電力供給が遮断された場合に予備電源部から表示駆動部に電力供給を行う構成を容易に実現できる。
【０１２８】
また、上記予備電源部は、コンデンサまたは二次電池に上記電力を充電する構成であってもよい。
【０１２９】
上記の構成によれば、主電源部から表示駆動部への電力供給が遮断された場合に予備電源部に備えられるコンデンサまたは二次電池に充電した電力を用いて表示駆動部に電荷放出処理を行わせることができる。
【０１３０】
また、上記液晶表示パネルは、画像データに応じた電圧を各画素に供給するためのデータ信号線と、データ信号線と画素との間を導通状態と遮断状態とに切り替えるための、１または複数の画素毎に設けられたスイッチング素子とを備え、上記スイッチング素子は、酸化物半導体からなるチャネル層を備えた薄膜トランジスタ素子である構成としてもよい。例えば、上記酸化物半導体は、インジウム、ガリウム、亜鉛、および酸素を含んでいてもよい。
【０１３１】
上記の構成では、ＯＦＦ抵抗が非常に高いという特性を有する酸化物半導体をチャネル層として備えた薄膜トランジスタ素子を画素のスイッチング素子として用いているので、電荷放出処理を行わずに電源供給を遮断した場合に液晶表示パネルの焼付き現象が特に生じやすい。しかしながら、上記の構成によれば、主電源部から表示駆動部への電力供給が困難になった場合であっても、予備電源部から表示駆動部に供給される電力を用いて電荷放出処理を行うことができる。これにより、液晶表示パネルの焼付き現象が生じることを適切に防止できる。
【０１３２】
（１−７．プログラムの実施例）
本実施形態において、携帯機器１の各ブロック、特に制御部２は、集積回路（ＩＣチップ）上に形成された論理回路によってハードウェア的に実現してもよいし、ＣＰＵ（Central Processing Unit）を用いてソフトウェア的に実現してもよい。
【０１３３】
後者の場合、携帯機器１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯機器１の制御プログラムのプログラムコード（実行形式プログラム、中間コードプログラム、ソースプログラム）をコンピュータで読み取り可能に記録した記録媒体を、上記携帯機器１に供給し、そのコンピュータ（またはＣＰＵやＭＰＵ）が記録媒体に記録されているプログラムコードを読み出し実行することによっても、達成可能である。
【０１３４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１３５】
また、携帯機器１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３７】
本発明は、電源ＯＦＦ時に液晶表示パネルの焼付き現象を防止するための所定のＯＦＦシーケンス（電荷放出処理）を行う液晶表示装置に適用できる。
【符号の説明】
【０１３８】
１  携帯機器（電子機器）
２  制御部
９  表示装置
１０  主電源部
１１  予備電源部
２７  表示制御部
２８  電力供給制御部
３１  表示駆動部
３２  表示部
４１  配電制御部
４２  異常検出部
４３  電圧低下検出部
４４  ソフトウェア異常検出部
４５  バッテリ取外動作検出部
４６  切替制御部
５１  フレームメモリ
５２  タイミングジェネレータ
５３  ソースドライバ
５４  ゲートドライバ
５５  バックライト駆動部
５６  電源切替部
５６ａ  切替スイッチ
５６ｂ  切替スイッチ
５７  ＯＦＦシーケンス記憶部
６１  液晶表示パネル
６２  バックライト
７１  バッテリ
７２  電圧変換部
７２ａ  ５．８Ｖ ＤＣＤＣコンバータ
７２ｂ  １．８Ｖ ＤＣＤＣコンバータ
７２ｃ  ２０Ｖ ＤＣＤＣコンバータ
７２ｄ  ＬＤＯ
７３  電圧検出部
７４  外部電源接続部
８１  充電部
８１ａ  コンデンサ
８１ｂ  ダイオード
８１ｃ  コンデンサ
８１ｄ  二次電池
８２  電圧変換部
８３  充電電圧検出部
【図１】
2014056095.tif 000003
【図２】
2014056095.tif 000004
【図３】
2014056095.tif 000005
【図４】
2014056095.tif 000006
【図５】
2014056095.tif 000007
【図６】
2014056095.tif 000008
【図７】
2014056095.tif 000009
【図８】
2014056095.tif 000010
【図９】
2014056095.tif 000011